(57)【特許請求の範囲】
【請求項１】
前面枠の前面側に打球供給皿と下部貯留皿とを設けると共に、前面枠の裏面側に打球供給皿から導き出したパチンコ球を一個ずつ発射レールの発射部に供給する打球供給装置とを設け、
前記打球供給装置は、一端側に打球供給皿の整流部に合致する流入室と他端側に傾斜通路を介して仕切られる流出待機室と、発射レールの発射部位置に対応する供給口と、上下方向に回動して前記流入室の下面開口に臨む突上片と前記流出待機室の下面の開口に臨む保持爪片とを備え、
前記流入室の側壁を一部切欠して球抜孔を設け、前記球抜孔を開閉自在にする閉止片を有する操作枠を常に付勢されて該閉止片が球抜孔を閉じる位置と球抜操作によって球抜孔を解放する位置とに移動自在に配設すると共に、
前記突上片の頭部には対角線上に斜めに横切る稜線を境にして前記流出待機室側へ下り傾斜する斜面と前記球抜孔側へ下り傾斜する斜面とを設け、該突上片の頭部のパチンコ球の転がりモーメントを前記球抜き孔が閉塞している状態では前記流出待機室側へ大きく働き、前記閉止片が開した状態では前記球抜き孔側へ大きくなるように構成し、
前記突上片が上動すると前記流入室内に位置するパチンコ球が該突上片に突き上げられると共に該突上片の流出待機室側へ下り傾斜する斜面によって前記流出待機室の側へ転動し、前記閉止片が前記球抜孔を解放すると前記流入室内に位置するパチンコ球が前記球抜孔側へ下り傾斜する斜面によって前記球抜孔の側へ転動するようにしたことを特徴とするパチンコ機。
【発明の詳細な説明】
【０００１】
【発明の属する技術分野】
本発明は、前面枠の前面に打球供給皿と下部貯留皿とを設けると共に、前面枠の裏面側に打球供給皿のパチンコ球を１個づつ発射レールの発射部に供給する打球供給装置を設けてなるパチンコ機に関し、特に、打球供給皿のパチンコ球を下部貯留皿に球抜きする際に打球供給装置内にパチンコ球が残らないようにすることができるようなパチンコ機に関するものである。
【０００２】
【従来の技術】
従来のパチンコ機においては、前面枠の前面側に打球供給皿と下部貯留皿とを設け、打球供給皿のパチンコ球を前面枠の裏面側に設けられた打球供給装置に導いて１個づづ発射レールの発射部に供給するようにされている。一方、打球供給皿の底部には球抜孔が設けられると共に、該球抜孔にスライド板が配置されており、該スライド板を移動させて球抜孔を解放することにより打球供給皿のパチンコ球を下部貯留皿に抜き取ることができるようになっている。
【０００３】
【発明が解決しようとする課題】
ところで、上記したパチンコ機にあっては、打球供給皿のパチンコ球を底部の球抜孔から直接に下部貯留皿へ抜き出すようにしているため、打球供給装置に導かれたパチンコ球は抜き取られないでそのまま残されてしまうという問題点があった。そして、打球供給装置内に残されたパチンコ球を抜き取るためには、例えばその残されたパチンコ球を遊戯盤面に打ち込まないように弱い弾発力で発射して発射レールのファール口から下部貯留皿に戻して回収する等遊戯者に面倒な操作を行わせる必要があった。
【０００４】
そこで本発明は、打球供給皿のパチンコ球を下部貯留皿に抜き取る際に打球供給装置内に残されたパチンコ球を同時に下部貯留皿へ回収することができるようにしたパチンコ機を提供することを目的としている。
【０００５】
【課題を解決するための手段】
上記目的を達成するために、本発明にかかるパチンコ機は、前面枠の前面側に打球供給皿と下部貯留皿とを設けると共に、前面枠の裏面側に打球供給皿から導き出したパチンコ球を一個ずつ発射レールの発射部に供給する打球供給装置とを設け、前記打球供給装置は一端側に打球供給皿の整流部に合致する流入室と他端側に傾斜通路を介して仕切られる流出待機室と、発射レールの発射部位置に対応する供給口と、上下方向に回動して前記流入室の下面開口に臨む位置する突上片と流出待機室の下面の開口に臨む位置する保持爪片とを備え、前記流入室の側壁を一部切欠して球抜孔を設け、前記球抜孔を開閉自在にする閉止片を有する操作枠を常に付勢されて閉止片が球抜孔を閉じる位置と球抜操作によって球抜孔を解放する位置とに移動自在に配設すると共に、突上片の頭部には閉止片が球抜路を閉じる位置にあるときは流入室にあるパチンコ球を保持待機室の側へ転動させる斜面と閉止片が球抜孔を解放する位置にあるときは流入室に入り込んだパチンコ球を球抜孔へ落下させる斜面を設けてなる。
【０００６】
前記前面板は打球供給皿の皿部の整流部の下流箇所に球抜口を開設し、打球供給装置の流入室の側壁を一部切欠して球抜穴を設け、前記球抜口を開閉自在にする可動底板と前記球抜孔を開閉自在にする閉止片を有する操作枠を常に付勢されて可動底板と閉止片が球抜口と球抜孔を閉じる位置と球抜操作によって球抜口と球抜孔を解放する位置とに移動自在に配設すると共に、突上片の頭部には閉止片が球抜孔を閉じる位置にあるときは流入室にあるパチンコ球を保持待機室の側へ転動させる斜面と閉止片が球抜孔を解放する位置にあるときは流入室に入り込んだパチンコ球を球抜孔へ落下させる斜面を設けてなるのが好ましい。
【０００７】
一方、前記球抜口の可動底板と前記球抜孔の閉止片を開閉自在にする操作枠は、上枠部、下枠部及び縦枠部を有して形成し、縦枠部を可動底板に突設する２本の軸子の間に挟み位置させて係合し、下枠部の先端に閉止片を一体に形成し、操作枠がコイルばねで付勢されている状態で球抜口と球抜孔を同時に閉鎖位置に付勢し、操作枠の操作により球抜口と球抜孔とを同時に開位置させるように形成するのが好ましい。
【０００８】
【発明の実施の形態】
本発明の実施の形態を図面に基づいて説明する。図１は本発明に係るパチンコ機の正面図、図２はガラス枠及び前面枠を解放して示すパチンコ機の下部部分の斜視図を示し、１はパチンコ機の前面枠、２は前面枠１の後面に着脱自在に装着された遊技盤であって、該遊技盤２の右下側に発射レール３が装着されている。４は発射レール３の発射部５に先端が臨む打球杆、６は発射レール３の前面を覆う前面板であって、遊技盤２の上方部を覆うガラス扉枠７と共に前面枠１の一側に開閉自在に装着されている。前記前面板６の表面には打球供給皿８が設けられている。また、前面枠１の下部前面には打球供給皿８の余剰球を貯留する下部貯留皿９と操作ハンドル１０が設けられている。
【０００９】
前記打球供給皿８は、図３に示すように、パチンコ球を貯留する皿部１１と該皿部１１の上縁部分を囲う飾板部１２及び皿部１１の下方に延出する側板部１３とを有する。前記皿部１１は底部が一方に緩やかに下り傾斜しその傾斜下部にパチンコ球が一列に整列する整流部１４が形成されており、該整流部１４の下流端には可動底板１５により開閉自在にする球抜口１６が開設されている。前面板６には整流部１４の下流端位置にパチンコ球を前面部６の裏側に流出させる通孔１７が開設されている。また、前面板６の側板部１３には整流部１４の球抜口１６に連通する球抜通路１８が設けられている。
【００１０】
一方、前面板６の裏面には、図４，図５に示す打球供給装置１９が組み込まれた通路構成枠２０が前記通孔１７を囲う状態に配設される。この通路構成枠２０は一側寄りに流入室２１を備え、他側寄りで且つ流入室２１より低所に流出待機室２２を備え、これら流入室２１と流出待機室２２を傾斜通路２３で仕切ることにより流入室２１に入ったパチンコ球が流出待機室２２へ流れないようにすると共に傾斜通路２３を流出待機室２２へ下り勾配を有して形成している。前記流入室２１の底壁２１ａは奥へ下り勾配を有し且つ開口２１ｂが穿設されている。前記流出待機室２２の底壁２２ａは開口２２ｂが穿設され且つ発射レール３側へ下り勾配を有してその傾斜下端に供給口２４が開設されている。
【００１１】
前記打球供給装置２０は、図４，図５及び図７乃至図９に示すように、突上片２５と該突出片２５に結合する保持爪片２６からなり、これら突上片２５と保持爪片２６とは軸孔２７を通路構成枠２０に備える軸受板２８，２８に軸２９により同軸に上下回動自在に設置している。前記突上片２５は側面が略ハンマー形状をしており垂直片部２５ａの側に重錘３０を有し、水平片部２５ｂの下面の突起２５ｃを軸受板２８，２８に差し渡した底板２８ａに当接させて水平位置を維持して設置され、この状態で、前記突上片２５は頭部を流入室２１の開口２１ｂに臨む下部位置に略面一の状態にあり、前記保持爪片２６も流出待機室２２の開口、２２ｂに臨む下部位置に略面一の状態にある。
【００１２】
なお、打球杆４が軸支された取付板３１には、図６に示すように、スライド板３２が上下摺動自在に取付けられ、このスライド板３２はその下端を打球杆４の。下半部に接続し、上端を前記突上片２１の下部に臨むように設置され、打球杆４の打球動作に伴ってスライド板３２が上下作動して突上片２５の頭部を通路構成枠２０の流入室２１を突上操作し、同時に保持爪片２６を流出待機室２２へ差し込み自在にしている。
【００１３】
【実施例１】
本発明において、前記通路構成枠２０は、図４，図５に示すように、流入室２１の側壁にパチンコ球が一個通過する球抜孔３３を開口し、前記球抜孔３３は、図６に示すように、閉止片３４により閉塞自在にされる。前記突出片２５の頭部には、図４，図５に示すように、対角線状に斜めに横切る稜線３５を境にして流出待機室２２の側へ下り傾斜する斜面３５ａと球抜孔３３の側へ下り傾斜する斜面３５ｂが設けられ、突上片２５の頭部のパチンコ球の転がりモーメントは、球抜孔３３が閉塞している状態では、流出待機室２２の側へ大きく働き、閉止片３４が開した状態で、球抜孔３３の側へ大きくなるようにしている、また、前面板６の裏側には前記球抜孔３３から落下するパチンコ球を流下させて前記球抜通路１８へ流下案内する球抜樋３６が接続設置されている。
【００１４】
前記打球供給皿８の球抜口１６に設けた可動底板１５と前記通路構成枠２０の球抜孔３３に設けた閉止片３４とは操作枠３７によって同時に開閉操作される。前記操作枠３７は上枠部３７ａ、下部枠３７ｂ及び上下枠部３７ａ，３７ｂを結ぶ縦枠部３７ｃを有してコ字状に形成し、下枠部３７ｂの先端に閉止片３４が一体に設置される。前記可動底板１５は、図３に示すように、２本の軸子３８，３８を所定間隔を置いて突設し、整流部１４から一体に垂下する側板部３９に有する長孔４０から前記２本の軸子３８，３８を突出させ、そして軸子３８，３８を前面板６のガイド長孔４０ａから前面板６の裏側へ突出させて該２本の軸子３８，３８の間に操作枠３７の縦枠部３７ｃを挟み位置させて設置する。
【００１５】
前面板６の前面側には打球供給皿８の上部にプレート４１が設置され、このプレート４１の裏面にはガイド孔４２を有するボックス４３が設置され、該ボックス４３を前面板６に穿設する穴４４から打球供給皿８の裏側へ差し込み設置している。前記ボックス４３内には操作ボタン４５を一体に有する摺動子４６とコイルばね４７が設けられ、前記摺動子４６には２本のボス４８がガイド孔４２から突出させて設けられている。前記操作枠３７は上枠部３７ａを連結枠片３７ｄを介して前記摺動子４６のボス４８にねじ４９によって固着設置され、コイルばね４７によって閉止片３４と可動底板１５を閉鎖位置に付勢する。そして、操作ボタン４５をコイルばね４７に抗して移動することにより摺動底板１５と閉止片３４を球抜口１６と球抜孔３３を解放する位置に移動させることができるようになっている。
【００１６】
なお、前記通路構成枠２０の球抜孔３３の上部には該通路構成枠２０の上壁に至る縦方向の条孔３３ａが穿設されており、前記操作枠３７の下枠部の先端には湾曲線状を呈する突片部３７ｅを突設して形成し、該突片部３７ｅが前記条孔３３ａから流入室２１の上壁部分に挿入されてパチンコ球が流出待機室２２の側へ流入し易くしている。
【００１７】
次に、このように構成したパチンコ機の作用を説明する。打球供給皿８の整流部１４の球抜口１６と通路構成枠２０の流入室２１の球抜孔３３とは、図１０に示すように、通常では操作枠３７がコイルばね４７の付勢によつて可動底板１５及び閉止片３４を閉鎖位置にある。このような球抜口１６と球抜孔３３が閉鎖された状態において、打球供給皿８に貯留されるパチンコ球は整流部１４によって一列に整列されながら前面板６の通孔１７から通路構成枠２０の流入室２１に流入する。そして、図７に示すように、流入室２１に入ったパチンコ球は傾斜通路２３に阻まれて流入室２１に待機する。
【００１８】
この状態で打球杆４が図６鎖線のように発射準備位置に回動されると打球杆４の下半部により押し上げられてスライド板３２が上昇する。このスライド板３２の上端により突上片２５が押上げられ、図８に示すように、流入室２１内に位置しているパチンコ球が突上片２５により突上げられて傾斜通路２３を通って流出待機室２２へ送り出される。このとき、流出待機室２２内には、図９に示すように、保持爪片２６が突出しているためパチンコ球は該保持爪片２６によって一旦保持される。そして、打球杆４の発射動作に追従して図６実線のようにスライド板３２、突上片２５及び保持爪片２６が下降し、パチンコ球は供給口２４へ転動して発射レール３の発射部５に送り出される。一方、流入室２１には、突上片２５の側面で止められていたパチンコ球が突上片２５の下降に伴って流入室内２１に流入し、以後同じ動作が繰り返される。
【００１９】
しかして、打球供給皿８内のパチンコ球を下部貯留皿９へ抜き取るには、操作ボタン４５をコイルばね４７の付勢に抗して摺動させる。これによって、摺動子４６がボックス４３内を移動してガイド孔４２をボス４８を介して操作枠３７を図１１に示す方向に移動し、縦枠部３７ｃに係合する軸子３８により可動底板１５を移動させて、図１１に示すように球抜口１６を解放し、同時に球抜孔３３を解放する。このため、打球供給皿８内のパチンコ球は打球供給皿８の整流部１４の途中で球抜口１６から球抜通路１８へ流出し、更に、前面板６に開設した流出口５０から遊技盤２前面のシュート５１を通って下部貯留皿９に排出される。また通路構成枠２０の流入室２１にあるパチンコ球は突上片２５の頭部の球抜側の斜面３５ｂの傾斜により球抜孔３３から落下して球抜樋３６へ流下してシュート５１を通って下部貯留皿９に排出される。
【００２０】
そして、打球供給皿８内のパチンコ球を下部貯留皿９に抜き取った後、操作ボタン４５の摺動力を解除すると、コイルばね４７の付勢によって摺動子４６が元の状態に復帰するのに伴って操作枠３７も復帰位置し、図１０に示す位置に移動して球抜口１６及び球抜孔３３を閉じる。
【００２１】
【実施例２】
図１３は、第２実施例における球抜機構を示す要部断面図で、前面板６の裏面には、第１実施例で説明したものとまったく同じ打球供給装置１９と通路構成枠２０が通孔１７を囲む状態に配設設置される。また、通路構成枠２０の流入室２１の側壁には、第１実施例と全く同じ位置に同様の球抜孔３３が開設され、該球抜孔３３の上部に立て方向の条孔３３ａが穿設され、通路構成枠２０に組み込まれた打球供給装置１９の突上片２５の頭部には稜線３５を境にして流出待機室２２の側へ傾斜する斜面３５ａと球抜孔３３の側へ傾斜する斜面３５ｂを備えている。また、前面板６の裏面には、第１実施例と同様に、球抜樋３６が球抜孔３３に接続設置されている。一方、打球供給皿８の整流部１４には第１実施例に見られる球抜口１６を開設しておらず、この第２実施例では、打球供給皿８にある全てのパチンコ球は整流部１４から通路構成枠２０の流入室２１に一旦入り、該流入室２１から球抜孔３３を必ず通って球抜するようになっている。なお、以上の部材において第１実施例の部材と同じものについて同じ番号を付して説明した。
【００２２】
第２実施例において、図１３に示すように、前面板６の裏面に縦長のボックス１４３が設置され、前記ボックス１４３内には摺動子１４６が上下摺動自在に設置され、該摺動子１４６の下端には球抜孔３３を閉塞する閉止片１３４が一体に延長突設されて形成されている。そして、コイルばね１４７によって摺動子１４６を下方へ付勢し、閉止片１３４が常時球抜孔３３を閉鎖位置に付勢している。また、摺動子１４６をコイルばね１４７に抗して上方へ押上ることにより閉止片１３４を上方へ引き上げて球抜孔３３を解放する位置に移動することができるようになっている。そして、球抜孔３３が解放されると、打球供給皿８にある全てのパチンコ球は整流部１４から通路構成枠２０の流入室２１に一旦入り、突上片２５の頭部の球抜孔３３側へ傾斜する斜面３５ｂにより球抜孔３３の側へ転動して球抜孔３３から球抜樋３６へ球抜するようになっている。
【００２３】
【発明の効果】
本発明は上記のような構成であるから、打球供給皿のパチンコ球は該打球供給皿の整流部に設けた球抜口から抜き取るようにし、しかも、突上片の頭部に待機するパチンコ球は、摺動子を移動させて球抜孔を解放したときに、突上片の頭部に設けた球抜孔側の傾斜面により流下して打球供給装置にパチンコ球を一球も残さずに全てのパチンコ球を抜き取って下部貯留皿へ排出することができる。
【００２４】
従って、本発明において打球供給皿のパチンコ球を抜き取った後には打球供給装置内にはパチンコ球が残留することがないので、従来パチンコ機のように打球供給装置内に残留するパチンコ球を下部貯留皿に回収するための面倒な操作を不要とすることができ、遊技者のサービス向上を図れる等利点がある。
【図面の簡単な説明】
【図１】本発明にかかるパチンコ機の正面図である。
【図２】ガラス枠及び前面板を解放した状態を示すパチンコ機の下部斜視図である。
【図３】第１実施例に係る打球供給皿の分解斜視図である。
【図４】第１実施例に係る通路構成枠と打球供給装置を分離して示す斜視図である。
【図５】第１実施例に係る打球供給装置を組込んだ通路構成枠の斜視図である。
【図６】第１実施例に係る打球供給皿の整流部に開設した球抜口と打球供給装置と発射部との関係を示す要部断面図である。
【図７】第１実施例に係る打球供給装置の突上片が下降位置にある流入室の要部断面図である。
【図８】第１実施例に係る打球供給装置の突上片が流入室に突上位置にある流入室の要部断面図である。
【図９】第１実施例に係る打球供給装置の保持爪片が挿入位置にある流出待機室の要部断面図である。
【図１０】第１実施例に係る打球供給装置を組み込んだ通路構成枠の球抜孔を閉鎖して示す断面図である。
【図１１】第１実施例に係る打球供給装置を組込んだ通路構成枠の球抜孔を解放して示す断面図である。
【図１２】第１実施例に係る打球供給装置を組込んだ通路構成枠の球抜孔を閉鎖して示す横断面図である。
【図１３】第２実施例に係る球抜装置の要部断面図である。
【符号の説明】
１          前面枠
３          発射レール
４          打球杆
５          発射部
８          打球供給皿
９          下部貯留皿
１４        整流部
１７        上部通孔
１９        打球供給装置
２０        通路構成枠
２１        流入室
２２        流出待機室
２３        傾斜通路
２４        供給口
２５        突上片
２６        保持爪片
３３        球抜孔
３４        閉止片
３５        稜線
３５ａ      斜面
３５ｂ      斜面
３６        球抜樋
３７        操作枠
３８        軸子
【図１】
0004024325.tif 000002
【図２】
0004024325.tif 000003
【図３】
0004024325.tif 000004
【図４】
0004024325.tif 000005
【図５】
0004024325.tif 000006
【図６】
0004024325.tif 000007
【図７】
0004024325.tif 000008
【図８】
0004024325.tif 000009
【図９】
0004024325.tif 000010
【図１０】
0004024325.tif 000011
【図１１】
0004024325.tif 000012
【図１２】
0004024325.tif 000013
【図１３】
0004024325.tif 000014